(57)【特許請求の範囲】
【請求項１】
ＡＴＭ交換機に収容されたバスインタフェースユニットと、両端が前記バスインタフェースユニットに収容され最遠端で折り返された下りバスおよび上りバスからなるＭバスと、該Ｍバスの下りバスと上りバスに直列に接続された複数の分岐装置からなるＡＴＭ−Ｍバスシステムにおけるマルチキャスト方法において、
Ｍバス上に、ＡＴＭセルにマルチキャスト用の識別番号情報を付与した一つのマルチキャストセルを送出し、
各分岐装置では、下りバスでマルチキャストセルを受信したときに該セルを分岐して取り込むとともに、該セルを下流側に送出し、上りセルでマルチキャストセルを受信したときは、該セルを破棄して空きセルとし、上りバス上にマルチキャストセルを存在させないようにする
ことを特徴とするＡＴＭ−Ｍバスシステムにおけるマルチキャスト方法。
【請求項２】
Ｍバスに接続される分岐装置は最大１４台であることを特徴とする請求項１記載のＡＴＭ−Ｍバスシステムにおけるマルチキャスト方法。
【請求項３】
マルチキャストセルに付加する識別番号情報は、ヘッダの一般的フロー制御（ＧＦＣフィールド）に“１５（Ｆ）”を割り付けることを特徴とする請求項１または請求項２記載のＡＴＭ−Ｍバスシステムにおけるマルチキャスト方法。
【発明の詳細な説明】
【０００１】
【発明の属する技術分野】
本発明は、ＡＴＭ（Ａｓｙｎｃｈｒｏｎｏｕｓ  Ｔｒａｎｓｆｅｒ  Ｍｏｄｅ：非同期転送モード）交換方式に適用するバス方式に関し、詳細には、ＡＴＭ交換機に収容される端末間でデータ交換を行うマルチメディアバス（Ｍバス）方式におけるマルチキャスト方法に関する。
【０００２】
【従来の技術】
図１１に示すように、従来のＡＴＭバス方式は、ＡＴＭスイッチ１１’に接続されたＡＴＭバス制御ユニット１２’と、ＡＴＭバス制御ユニット１２’から出てＡＴＭバス制御ユニット１２’に戻ってくる１本のＡＴＭバス２’と、該ＡＴＭバス２’に直列に接続された複数の分岐装置３’と、それぞれの分岐装置に接続されたＡＴＭ端末装置５１とから構成されている。
ＡＴＭバス制御ユニット１２’から出発し該ユニットに戻ってくる１本のＡＴＭバス２’上に一対の入出力端を有する複数の分岐装置３’が接続されたＡＴＭバスシステムにおいては、ＡＴＭバス制御ユニット１２’から送出されたＡＴＭセルは、順次上流側の分岐装置３’−１から下流側の分岐装置３’−ｎに中継され、途中の分岐装置でその分岐装置宛のセルを選択して取り込み、また、分岐装置の配下にある端末装置からのデータを搭載したＡＴＭセルを下流側に送り出し、最下流の分岐装置３’−ｎからＡＴＭバス制御ユニット１２’へ戻されてＡＴＭバスシステムを構成している。
【０００３】
このようなＡＴＭバスシステムにおいて、マルチキャストユニット１０から各分岐装置３’へＡＴＭセルを送出してマルチキャスト通信を行うときには、ＡＴＭスイッチ１１’でそれぞれの分岐装置に宛てたＡＴＭセルを複製してＡＴＭバス制御ユニット１２’を介してＡＴＭバス２’上に送り出し、各分岐装置は自己宛のＡＴＭセルを選んで取り込んでいる。
【０００４】
ＡＴＭバスのように１つのポートを複数の端末装置で共用するＡＴＭバスシステムにおいて、複数の分岐装置に共通のデータを送信する放送方式のいわゆるマルチキャスト通信を行う場合には、端末装置の台数分の帯域をＡＴＭバス上で専用するので、マルチキャスト通信時にＡＴＭバスが輻輳し、バス効率が非常に悪くなるという問題を有している。
【０００５】
一方、本出願人は、先願にかかる特願平９−１０２３１号（特開平１０−２１００４５号公報）の出願において、ＡＴＭスイッチとＡＴＭ１５５Ｍｂｐｓインタフェースを有する主装置と、該主装置に直列に収容される複数の分岐装置とからなり、該分岐装置は端末装置を収容するとともに前記ＡＴＭ１５５Ｍｂｐｓインタフェースの上りバスと下りバスに接続され、該バスの下りバスの終端が折り返されて上りバスとされている「ＡＴＭ−Ｕバス方式」と呼ぶバス方式を提案している。
【０００６】
このバス方式に用いるＵバス主装置は、音声／画像／データなどを全てＡＴＭセル化し、１５５Ｍｂｐｓポートに独自のＡＴＭバスインターフェース（Ｉ／Ｆ）を有し、その配下に複数の標準ＡＴＭ端末を収容するとともに、高速ＡＴＭ端末を直接そのポートに収容することで、一元的に交換処理を行う小規模オフィスに対応したＡＴＭ装置である。
このＵバス方式を採用した小規模事業所用のＵバス主装置の構成を図１２に示す。Ｕバス主装置１は、ＡＴＭ交換装置としての機能を有しており、ＡＴＭスイッチ（ＡＴＭ−ＳＷ）１１と、１５５ＭｂｐｓのＵ−ＧＦＣ制御付ＡＴＭインタフェース１２’とを有して構成され、さらに図示を省略した１００ＭｂｐｓのＬＡＮインタフェースと、既存のＷＡＮインタフェースと、制御部と、蓄電池を具備した電源ユニットを有して構成されている。
【０００７】
ＡＴＭスイッチ（ＡＴＭ−ＳＷ）１１は、通常のＡＴＭスイッチと同様であり、この例では、１５５Ｍｂｐｓのポート８個を有している。
【０００８】
Ｕバス主装置（ＡＴＭ交換機）１の１５５ＭｂｐｓのＡＴＭインタフェース１２’は、Ｕバス２およびＡＴＭ１５５Ｍｂｐｓ端末ならびにＡＴＭ１５５Ｍｂｐｓ回線を直接収容できるインタフェースパッケージであり、ＡＴＭセルのヘッダ内に設けられた一般的フロー制御（以下、ＧＦＣという）フィールドを使用したＵ−ＧＦＣ制御機能を有している。
ＡＴＭインタフェース１２’は、ＡＴＭセル中のＧＦＣとバーチャルパス（以下、ＶＰという）とバーチャルチャネル（以下、ＶＣという）を変換するとともにスイッチングのためのタグを付与するＶＰ／ＶＣ変換手段と、ＡＴＭ１５５Ｍｂｐｓ仕様のユーザーネットワークインタフェースである１５５ＭｂｐｓＡＴＭユニットと、光／電気変換インタフェースと、ＶＰ／ＶＣ変換のための参照テーブル（ＧＦＣを含む）を格納したＳＲＡＭと、送受信セルのＵバス上のＧＦＣ制御を行うＵ−ＧＦＣ制御ユニットとから構成され、例えば、カード状のパッケージに形成される。
Ｕ−ＧＦＣ制御ユニットは、下りバスに送り出すＡＴＭセル（下りセル）ＩＤを蓄積する下りセル用ＦＩＦＯメモリと、上りバスから受信した上りセルＩＤを記録する上りセル用ＦＩＦＯメモリと、下りセル用ＦＩＦＯメモリに蓄積された下りセルＩＤと上りセル用ＦＩＦＯメモリに記録された上りセルＩＤとの一致をみる比較手段を有している。
【０００９】
ＡＴＭ１５５Ｍｂｐｓインタフェース１２’には、Ｕバスと呼ぶＡＴＭバス２およびＡＴＭ端末、ＡＴＭ−ＰＮＮＩを介して他のＡＴＭ交換機、ＡＴＭ−ＵＮＩを介してＡＴＭ−ＷＡＮがそれぞれ接続される。
また、ＬＡＮインタフェースには、１００Ｍｂｐｓの既存のＬＡＮ網が接続される。
さらに、既存ＷＡＮインタフェースには、ＩＳＤＮ回線またはアナログ回線、専用線、ＯＣＮ等か接続される。
【００１０】
制御部は、Ｕバス主装置１の交換制御およびパッケージ制御ならびにネットワーク管理の制御を行う。
【００１１】
Ｕバス２は、ＡＴＭ端末を接続することができるバスであり、Ｕ−ＧＦＣ制御付きのＡＴＭ１５５Ｍｂｐｓインタフェース１２’に収容される。Ｕバス２には、複数のマルチメディア端末や画像端末などの例えば、２５ＭｂｐｓのＡＴＭキーテレホン（ＡＴＭ−ＫＴ）５１、１５５ＭｂｐｓのＡＴＭ端末５２、３．１ＫＨｚオーディオ（６４Ｋｂｐｓ）のアナログ電話機５３、ＩＳＤＮ端末５４、２５ＭｂｐｓのＡＴＭ端末５５が分岐装置３を介して接続され、アナログ電話機５３、ＩＳＤＮ端末５４などは既存端末用分岐装置３−３を介して接続され、さらに１５５Ｍｂｐｓのサーバ／コンピュータなどのＡＴＭ端末５２が接続される。
【００１２】
例えば、Ｕバス２には、分岐装置３−１，３−２，３−ｎを介して、ＡＴＭキーテレホン５１、１００ＭｂｐｓＡＴＭ端末５２、２５ＭｂｐｓＡＴＭ端末５５などが１５５ＭｂｐｓのＵバス２のトラヒック容量を考慮して複数接続される。
【００１３】
Ｕバス専用に収容されるインタフェースとしては、多機能ボタン電話機であるＡＴＭキーテレホン（ＡＴＭ−ＫＴ）がある。このＡＴＭキーテレホンは、電話機内部にＣＬＡＤを有しており、ＡＴＭ２５ＭｂｐｓインタフェースでＵバス２に接続される。
【００１４】
上述のように、このＡＴＭ−Ｕバス方式は、各分岐装置に識別子を付与し、主装置から送り出すＡＴＭセルのヘッダのＧＦＣ（一般的フロー制御）フィールドにＡＴＭセルの宛先の分岐装置の識別子を付与して送り出す方式である。
さらに、このＡＴＭ−Ｕバス方式は、分岐装置が受信した自己宛のセルを分岐して端末装置に送るようにし、分岐装置に収容された端末装置からの送信データがないとき、分岐装置で受信した自己宛のセルの識別子を削除して空きセルとして下流ノードへ送り出し、分岐装置に収容された端末装置からの送信データがあるとき、分岐装置で受信した自己宛のセルまたは空きセルに送信データを乗せて送り出すようにしている。
【００１５】
また、このＡＴＭ−Ｕバス方式は、分岐装置に端末装置からの送信データを一時格納する複数の送信バッファを設け、送信バッファの値が所定の値に達したときに該分岐装置宛のセルを“ＳＯＳ”セルとして主装置に送り返し、主装置は“ＳＯＳ”セルを受けたときに強制的に共用チャネル以外の下りセルに前記分岐装置の識別子を付与した予約空きセルを送出するようにしている。
【００１６】
ＡＴＭ−Ｕバス方式に用いる分岐装置は、ＡＴＭ−Ｕバスに接続され、上流側インタフェースと、下流側インタフェースと、端末装置への入出力インタフェースとを有し、受信したＡＴＭセルのヘッダに付与された識別子を抽出して自己宛のセルを分岐する機能と、セル分解・組立（ＣＬＡＤ）機能と、自己宛のセルまたは空きセルに送信データを乗せるセル挿入機能を有するバス制御手段を備えている。
【００１７】
ＡＴＭ−Ｕバス方式に用いるＡＴＭ１５５Ｍｂｐｓインタフェースは、ＡＴＭバスが接続され、下りバスに送出するＡＴＭセルのＧＦＣに付した識別子を蓄積するＦＩＦＯメモリと、上りバスで受信したＡＴＭセルのＧＦＣに付した識別子を蓄積するＦＩＦＯメモリと、下りバスに送出するＡＴＭセルのＧＦＣに付した識別子と上りバスで受信したＡＴＭセルのＧＦＣに付した識別子とを比較する手段とを有しており、下りバスに送出するＡＴＭセルのＧＦＣに付した識別子の蓄積がなく、上りバスで受信したＡＴＭセルのＧＦＣに付した識別子が記憶されたときに端末装置を指定した空きセルを下りバスに割り付ける機能を有している。
【００１８】
このＡＴＭ−Ｕバス方式は、標準方式ＡＴＭ−スイッチ（ＳＷ）を用いて実現することができ、主装置の各１５５Ｍｂｐｓインタフェースでは、上記“Ｕ−ＧＦＣフロー制御”を無視するか無効とすることによって、標準のＡＴＭ１５５Ｍｂｐｓポートとしても使用でき、
▲１▼  各分岐装置の端末装置は公平かつ効率的に送信することが可能となり、かつ、セルの最大遅延等の特性を最大限保証することができる．
▲２▼  音声の様な既存端末装置などの対称サービスは、その端末装置の受信セルだけによって送信の保証が可能となる．
▲３▼  サーバアクセス、インタネットアクセス等の非対称サービスに対して、Ｕ−ＧＦＣフロー制御および“ＳＯＳ”セルによってセルの有効利用が可能となる．
▲４▼  Ｕバス上の端末装置は、“マルチキャスト”通信が可能である．
▲５▼  分岐装置の配下に端末装置をマルチポイントに接続することが可能となる．
▲６▼  ＣＬＡＤ付き分岐装置を接続することによって、既存端末装置を直接収容することが可能となる．
▲７▼  Ｕバス方式のソフト処理は、初期設定、ＯＡＭ（Ｏｐｅｒａｔｉｏｎ，Ａｄｍｉｎｉｓｔｒａｔｉｏｎ  ａｎｄ  Ｍａｉｎｔｅｎａｎｃｅ）管理、Ｕバス管理の他にはほとんど必要ないので、Ｕバス方式を容易に実現することができる．
▲８▼  ハードウェアは、ＡＴＭ１５５Ｍｂｐｓインタフェースを設けるだけであり、ＵＴＯＰＩＡバス制御、セル挿入・分岐、およびバッファ処理が増えるだけであるので、Ｕバス方式は容易に実現することができる．
という優れた効果を奏する方式である。
【００１９】
【発明が解決しようとする課題】
本発明は、上記ＡＴＭ−Ｕバス方式（以下、本明細書においては、多種のメディアに対応するバスであることから、ＡＴＭ−Ｍバス方式という）において、ＡＴＭ−Ｍバスの帯域を大幅に占有することなしに、ポイント−マルチポイント（Ｐｉｎｔｏ−ｔｏ−Ｍｕｌｔｉｐｌｅ  ｐｏｉｎｔ）通信（マルチキャスト通信）を実行できる方法を提供することを課題とする。
【００２０】
【課題を解決するための手段】
上記課題を解決するために、本発明は、ＡＴＭ交換機に収容されたバスインタフェースユニットと、両端が前記バスインタフェースユニットに収容され最遠端で折り返された下りバスおよび上りバスからなるＭバスと、該Ｍバスの下りバスと上りバスに直列に接続された複数の分岐装置からなるＡＴＭ−Ｍバスシステムにおけるマルチキャスト方法において、Ｍバス上に、ＡＴＭセルにマルチキャスト用の識別番号情報を付与した一つのマルチキャストセルを送出し、各分岐装置では、下りバスでマルチキャストセルを受信したときに該セルを分岐して取り込むとともに、該セルを下流側に送出するようにした。
【００２１】
さらに、本発明は、ＡＴＭ−Ｍバスシステムにおけるマルチキャスト方法において、各分岐装置が、上りセルでマルチキャストセルを受信したときは、該セルを破棄し（空きセルとし）、上りバス上にマルチキャストセルを存在させないようにした。また、本発明は、Ｍバスに接続される分岐装置を最大１４台とし、マルチキャストセルに付加する識別番号情報は、ＧＦＣフィールドに“１５”すなわち“Ｆ”を割り付けた。
【００２２】
【発明の実施の形態】
以下、本発明にかかるＡＴＭ−Ｍバス方式のマルチキャスト方法の実施の形態を図を用いて説明する。
【００２３】
本発明は、上記した先願にかかるＡＴＭ−Ｕバス方式に準じた方式を採用しており、マルチメディアバス（以下、Ｍバスという）と、Ｍバスインタフェースユニット（以下、ＭＢＵという）と、端末インターフェース分岐装置（以下、単に分岐装置という）で構成されるＡＴＭ−Ｍバス方式におけるマルチキャスト方法に関する。
本発明にかかるＡＴＭ−Ｍバス方式におけるマルチキャスト方法に用いる分岐装置は、ＡＴＭ２５Ｍｂｐｓ端末装置やＡＴＭ１５５Ｍｂｐｓ端末装置などのマルチメディアに対応することができる分岐装置であり、ＡＴＭボタン電話機等の２５ＭｂｐｓＡＴＭ端末装置および１５５Ｍｂｐｓ専用ＡＴＭ端末装置ならびに汎用ＡＴＭ端末装置などを収容する。ＭＢＵは、分岐装置との間でＡＴＭセルを送受信する。
【００２４】
本発明にかかるマルチキャスト方法が適用されるＡＴＭ−Ｍバス方式の概要を図１を用いて説明する。
ＡＴＭ−Ｍバス方式は、Ｍバス主装置１と、１５５ＭｂｐｓのＭバス２と、該Ｍバスに直列に接続された複数の分岐装置３とから構成され、分岐装置３には２５ＭｂｐｓのＡＴＭ−ＫＴ５１、１５５ＭｂｐｓのＡＴＭ端末装置５２、２５ＭｂｐｓのＡＴＭ端末装置５５などが接続線６を介して収容される。
【００２５】
Ｍバス主装置１は、ＡＴＭ交換機としての機能を有しており、マルチキャストユニット１０と、ＡＴＭスイッチ（ＡＴＭ−ＳＷ）１１と、Ｍバス２をＡＴＭスイッチに収容させるゲートウェイとして働くＭＢＵ１２と、Ｎ−ＩＳＤＮ基本インタフェースユニット１５と、中央制御装置（以下、ＣＣＵという）１９とを有して構成される。
さらに、Ｍバス主装置１は、２５Ｍｂｐｓ端末インタフェースユニット１３、ＬＡＮユニット１４、２５Ｍｂｐｓノード間インタフェースユニット（２５ＭＮＵ）１６、三者会議ユニット（ＣＮＦＵ）１７、音声通話タイプ変換ユニット（ＶＴＵ）１８などを有することができる。
【００２６】
Ｍバス２は、ＭＢＵ１２に接続された下りバスと上りバスから構成され、複数の分岐装置３がシリーズに接続される。下りバスは、終端に設けた折返接続部２１で折り返されて上りバスとされている。
Ｍバス２は、マルチモード光ファイバ（以下、ＭＭＦという）または１００Ωの銅線ケーブル（以下、ＵＴＰという）を用いて１５５ＭｂｐｓのＡＴＭバスとして構成される。
ＭＢＵ１２から最遠端にある分岐装置３−ｎでは、Ｍバス２の下りバスと上りバスは、折返接続部２１によってＵ字接続されている。ＭＢＵ１２から下りバスに送出されたセルは、折返接続部２１で折り返されて上りバス上をＭＢＵ１２へ戻ってくる。
【００２７】
分岐装置３は、入力端子と出力端子の対を下りバス用と上りバス用の２対有しており、ＭＭＦからなるＭバス２の下りバスと上りバスに接続され、下りバスで受信したＡＴＭセルを下流に中継する機能と、上りバスで受信したＡＴＭセルを上流に中継する機能と、下りバスで受信した自己宛のＡＴＭセルもしくはマルチキャストセルを取り込む機能と、端末装置からのデータを空きセルに乗せて送り出す機能を有している。
また、分岐装置３は、シグナリングによる該当ユーザセルのＶＰＩ／ＶＣＩの取得および管理機能、該当ユーザセルのＧＦＣ制御機能、Ｍバスおよび端末インタフェースポートの障害監視機能を有している。
さらに、分岐装置３は、１５５Ｍｂｐｓ端末インタフェースポートを有するか、２５Ｍｂｐｓ端末インタフェースポートを複数有している。
各分岐装置３には、２５ＭｂｐｓのＡＴＭボタン電話機（ＡＴＭ−ＫＴ）５１、１５５ＭｂｐｓのＡＴＭ標準端末装置５２、２５ＭｂｐｓのＡＴＭ標準端末装置５５、図示を省略したＱ２９３１をサポートする汎用ＡＴＭ端末装置、アナログ端末装置、ＩＳＤＮ端末装置等が収容される。
分岐装置３は、最大１４台がシリーズに接続される。
【００２８】
分岐装置３は、１５５Ｍｂｐｓの端末インタフェースポートを有する分岐装置１５５Ｍと２５Ｍｂｐｓの端末インタフェースポートを有する分岐装置２５Ｍとがある。
分岐装置１５５Ｍは、ＭＢＵ１２が提供するＭバス２に１５５ＭｂｐｓＡＴＭ端末装置を１ポート接続するための分岐装置である。
分岐装置２５Ｍは、ＭＢＵ１２が提供するＭバス２に２５ＭｂｐｓのＡＴＭボタン電話機またはＡＴＭ標準端末装置などを１ポート接続する分岐装置である。
分岐装置１５５Ｍと分岐装置２５Ｍは、一つのＭバス上に混在して最大１４台まで収容することができる。
【００２９】
分岐装置１５５Ｍのブロック構成を図２を用いて説明する。
分岐装置１５５Ｍ３は、Ｍバス２および１５５ＭｂｐｓＡＴＭ端末に接続される３台の光／電気変換用インタフェース３０と、ＡＴＭユーザネットワークインタフェース（Ｕｓｅｒ  Ｎｅｔｗｏｒｋ  Ｉｎｔｅｒｆａｃｅ：以下、ＵＮＩという）機能が搭載されたＬＳＩからなる３台の１５５ＭｂｐｓＡＴＭ  ＵＮＩ３１と、プログラム可能なゲートアレイ（Ｐｒｏｇｒａｍａｂｌｅ  Ｌｏｇｉｃ  Ｄｅｖｉｃｅ：ＰＬＤ）からなるセル分岐挿入制御部３２と、セル分岐挿入制御部制御用ＲＯＭ３３と、Ｆ−ＲＯＭ３４と、ＲＡＭ３５と、ＣＰＵ３６と、ＬＥＤ表示部３７と、ＡＣ／ＤＣコンバータ３８と、リセット回路３９とを有して構成される。
光／電気変換用インタフェース３０は、Ｍバス２がＵＴＰで構成されるときには、パルストランスで構成される。
【００３０】
分岐装置２５Ｍのブロック構成を図３を用いて説明する。
分岐装置２５Ｍ３は、Ｍバス２に接続される２台の光／電気変換用インタフェース３０と、２台の１５５ＭｂｐｓＡＴＭ  ＵＮＩ３１−１，３１−２と、１台の２５ＭｂｐｓＡＴＭ  ＵＮＩ３１−３と、セル分岐挿入制御部３２と、セル分岐挿入制御用ＲＯＭ３３と、Ｆ−ＲＯＭ３４と、ＲＡＭ３５と、ＣＰＵ３６と、ＬＥＤ表示部３７と、ＡＣ／ＤＣコンバータ３８と、リセット回路３９と、２５ＭｂｐｓＡＴＭ端末に接続されるパルストランス３０ＰＴとを有して構成される。
光／電気変換用インタフェース３０は、Ｍバス２がＵＴＰで構成されるときには、パルストランスで構成される。
【００３１】
ＭＢＵ１２は、アダプテーションレイヤＡＡＬ−１で用いる専用端末装置５１、アダプテーションレイヤＡＡＬ−５で用いる専用端末装置５２および汎用ＡＴＭ端末装置５１などを接続するためのインタフェースユニットで、ＡＴＭスイッチ１１に最大３ユニット搭載される。
ＭＢＵ１２は、１５５ＭｂｐｓユーザネットワークインタフェースのＭバスインタフェース機能、Ｍ−ＧＦＣ制御機能（Ｍバスの管理）、ルーティング機能（アドレス変換、ＡＴＭスイッチ用スイッチングタグの挿抜）およびＭバスの障害監視機能を有する。
【００３２】
ＭＢＵ１２の、構成を図４のブロック図を用いて説明する。
ＭＢＵ１２は、２台のＧＦＣ／ＶＰ／ＶＣ変換手段（ＡＴＣ）１２０と、セル分岐挿入制御部１２１と、ＡＴＭ  ＵＮＩ１２２と、光／電気変換用インタフェース１２３と、Ｆ−ＲＯＭ１２４と、Ｓ−ＲＡＭ１２５と、ＣＰＵ１２６と、ＬＥＤ表示部１２７と、ＰＬＬ回路１２８とを有して構成される。
【００３３】
セル分岐挿入制御部１２１は、タグ削除部１２１１と、２台のＭ−ＧＦＣ制御部１２１２，と、２台のＡＡＬ５処理部１２１３と、リセット回路１２１４と、ＯＡＭ回路１２１５と、タグ挿入部１２１６とを有して構成される。
【００３４】
ＡＴＭセルのＧＦＣ（４ｂｉｔ）は、ＮＮＩ（Ｎｅｔｗｏｒｋ  Ｎｏｄｅ  Ｉｎｔｅｒｆａｃｅ）には規定がなくエンド・エンド（Ｅｎｄ−ｔｏ−Ｅｎｄ）の機能としては使用されず、ＵＮＩの部分にのみ使用されるフィールドである。
本発明のＭバス２では、複数の分岐装置３をシリーズ接続し、分岐装置間（Ｍバス区間）でのみ、ＡＴＭセルのヘッダのＧＦＣの４ｂｉｔに各分岐装置の識別番号（以下、ＩＤという）を搭載し、ＧＦＣに搭載したＩＤでルーティングを行う。
【００３５】
ＡＴＭ−Ｍバス方式における、ＧＦＣ制御プロトコルを本明細書ではＭ−ＧＦＣ制御プロトコルと定義する。
Ｍ−ＧＦＣ制御プロトコルは、ＭＢＵ１２と分岐装置３のハードウエア（一部ソフト介在）で実現するバス制御プロトコルである。Ｍ−ＧＦＣフロー制御を実現する上での前提条件を以下に示す。
▲１▼  ＭＢＵ１２から送信するバスを下りバス、最遠端の分岐装置３−ｎで折り返されてＭＢＵ１２へ向かうバスを上りバスという。
▲２▼  各分岐装置３の識別子ＩＤは、後述するＭＢＵ１２からの識別子自動割当て処理によって決定される。
▲３▼  分岐装置３によるバス上のＡＴＭセルの送信および受信は、受信セルは下りバスからのみ取り込み、送信セルは下りバスまたは上りバス上のどちらの空きセルにもセットすることができる。ただし、送信は、上りバスへの送出を優先とする。
【００３６】
Ｍバスで管理されるセル種別は、ＧＦＣ／ＶＰ／ＶＣにより定義される。その定義の内容を表１に示す。
【００３７】
【表１】
0003581022.tif 000002
【００３８】
表１に示すように、ＧＦＣ／ＶＰ／ＶＣが“０／０／０”とされたＡＴＭセルは、空きセルであり、ペイロードは全て“６Ａｈ”の繰返しとなる。
ＧＦＣ／ＶＰ／ＶＣが“０／ＶＩＰ／ＶＣＩ”とされたセルは、分岐装置からのＳＯＳセルであり、データセルのＧＦＣを“０”にして作られる。
ＧＦＣ／ＶＰ／ＶＣが“ＩＤ／０／０”とされたセルは、ＩＤによって分岐装置が指定された予約空きセルであり、ＭＢＵから下りバスに送出される。
ＧＦＣ／ＶＰ／ＶＣが“ＩＤ／ＶＩＰ／ＶＣＩ”とされたセルは、ＩＤによって分岐装置が指定された送信または受信データセルである。
ＧＦＣ／ＶＰ／ＶＣが“ＩＤ／ＶＰＩ／ＶＣＩ”とされたセルは、マルチバスインタフェースユニットＭＢＵと分岐装置間の制御セルであり、制御専用のＶＰＩ／ＶＣＩ値が用いられる。
ＧＦＣ／ＶＰ／ＶＣが“１５／ＶＩＰ／ＶＣＩ”とされたセルは、分岐装置からのマルチキャスト用の送信データセルおよび受信データセル（マルチキャストセル）である。
ＧＦＣ／ＶＰ／ＶＣが“ＩＤ／０／５”とされたセルは、ＩＤによって分岐装置が指定された送信および受信ポイント−ポイントシグナリングセルである。
ＧＦＣ／ＶＰ／ＶＣが“ＩＤ／ＶＩＰ／３”とされたセルは、障害時の専用セルで、ＩＤによって分岐装置が指定された送信または受信ポイント−ポイント（ｐｏｉｎｔ−ｔｏ−ｐｏｉｎｔ）対応ＶＰ用ＯＡＭセルであり、セグメントに対応している。
ＧＦＣ／ＶＰ／ＶＣが“ＩＤ／ＶＩＰ／４”とされたセルは、障害時の専用セルで、ＩＤによって分岐装置が指定された送信または受信ポイント−ポイント対応ＶＰ用ＯＡＭセルであり、エンド−エンドに対応している。
【００３９】
ＭＢＵ−ＡＴＭスイッチ間および分岐装置−端末装置間を流れるセルのＧＦＣは“０”で構成される。
【００４０】
次いで、ＭＢＵプロトコルについて説明する。
ＭＢＵ１２には、上りルーティングテーブルおよび下りルーティングテーブルからなる変換テーブルが形成される。上りルーティングテーブルは、バス上の通信中の呼のＧＦＣ（ＩＤ）／ＶＰ／ＶＣをＡＴＭスイッチ管理用ＧＦＣ／ＶＰ／ＶＣに相互に変換するテーブルである。下りルーティングテーブルは、ＡＴＭスイッチ管理用ＧＦＣ／ＶＰ／ＶＣをバス上の通信中の呼のＧＦＣ（ＩＤ）／ＶＰ／ＶＣに相互変換するテーブルである。
これらのルーティングテーブルは、Ｍバス上の最大コネクション数で、ＣＣＵによって決定されたデータを基に管理される。
これらのルーティングテーブルは、ＡＴＭスイッチ交換用のスイッチングタグの挿抜も行う。
【００４１】
ＡＴＣ１２０におけるルーティングテーブルを用いた基本的な変換法則および変換方法を表２および図５を用いて説明する。
表２（Ａ）は、シグナリングセルおよびＯＡＭセル用の共用チャネル上の変換であり、表２（Ｂ）は、ユーザセル用のユーザチャネル上の変換であり、表２（Ｃ）は、マルチキャストセル用のユーザチャネル上の変換である。
【００４２】
【表２】
0003581022.tif 000003
【００４３】
シグナリングセルおよびＯＡＭセルを対象とした共用チャネルでは、上り方向では、ＧＦＣ／ＶＰ／ＶＣについて、Ｍバス上のセルの“ＩＤ番号／０（固定）／ＶＣＩ”を、ＭＢＵ−ＡＴＭスイッチ間のセルの“０（固定）／ＶＰＩ（ＣＣＵ管理用）／ＶＣＩ（ＣＣＵ管理用）”に変換する。一方、下りセルでは、ＧＦＣ／ＶＰ／ＶＣについて、ＡＴＭスイッチ−ＭＢＵ間のセルの“０（固定）／ＶＰＩ（ＣＣＵ管理用）／ＶＣＩ（ＣＣＵ管理用）”をＭバス上のセルの“ＩＤ番号／０（固定）／ＶＣＩ”に変換する。
【００４４】
ユーザセルを対象としたユーザチャネルでは、上り方向では、ＧＦＣ／ＶＰ／ＶＣについて、Ｍバス上のセルの“ＩＤ番号／ＶＰＩ／ＶＣＩ”を、ＭＢＵ−ＡＴＭスイッチ間のセルの“０（固定）／ＶＰＩ（ＣＣＵ管理用）／ＶＣＩ（ＣＣＵ管理用）”に変換する。一方、下りセルでは、ＧＦＣ／ＶＰ／ＶＣについて、ＡＴＭスイッチ−ＭＢＵ間のセルの“０（固定）／ＶＰＩ（ＣＣＵ管理用）／ＶＣＩ（ＣＣＵ管理用）”をＭバス上のセルの“ＩＤ番号／ＶＰＩ／ＶＣＩ”に変換する。
【００４５】
マルチキャスト用セルを対象としたユーザチャネルでは、上り方向では、なんら変換作業を行わず、下りセルでは、ＧＦＣ／ＶＰ／ＶＣについて、ＡＴＭスイッチ−ＭＢＵ間のセルの“０（固定）／ＶＰＩ（ＣＣＵ管理用）／ＶＣＩ（ＣＣＵ管理用）”をＭバス上のセルの“１５／ＶＰＩ／ＶＣＩ”に変換する。
【００４６】
ＭＢＵ１２に設けたＧＦＣ／ＶＰ／ＶＣ変換手段（ＡＴＣ）１２０の働きを、図５を用いて説明する。ここでは、上りバスから入力された５３バイトのＡＴＭセルをＡＴＭスイッチ１１へ向けて送出する５６バイトのＡＴＭセルに変換するＡＴＣ１２０−２を例にしている。
ＡＴＣ１２０−２では、Ｍバスから入力された５３バイトのＡＴＭセルから、ＧＦＣ／ＶＰ／ＶＣを読み出すとともにスイッチングタグスペースを挿入し、変換テーブル（ＴＡＣ＃２）１２０２を参照して得た出力セル用のＧＦＣ／ＶＰ／ＶＣ／スイッチングタグを入力セルにセットして５６バイトの出力セルとしてＡＴＭスイッチ１１へ向けて送出する。
ＡＴＣ１２０−１における、ＡＴＭスイッチ１１からの５６バイトのＡＴＭセルを５３バイトのＡＴＭセルとしてＭバス２へ送出するＡＴＭセルに変換する動作は、上記とほぼ同様に行われる。
【００４７】
以下、ＭＢＵプロトコルについて、図６を用いて、説明する。ＭＢＵ１２は、下りルーティングテーブル（ＡＴＣ＃１）１２０１と、上りルーティングテーブル（ＡＴＣ＃２）１２０２と、タグスペース削除機能１２１１と、ＧＦＣ制御機能１２１２と、タグスペース挿入機能１２１６とを有している。
【００４８】
ＭＢＵ１２では、ＡＴＭスイッチ１１から受信する５６バイトのＡＴＭセルは、下りルーティングテーブル（ＡＴＣ＃１）１２０１を参照して前述のＧＦＣ／ＶＰ／ＶＣが変換され、次いで、タグスペース削除機能１２１１によってスイッチングタグスペースが削除されて、５３バイトのＡＴＭセルとして下りバスに送出される。
【００４９】
ＭＢＵ１２では、分岐装置３から上りバスで受信される５３バイトのＡＴＭセルは、タグスペース挿入機能１２１６によってスイッチングタグスペースが付けられて、上りルーティングテーブル（ＡＴＣ＃２）１２０２を参照してＡＴＭスイッチ交換用ＧＦＣ／ＶＰ／ＶＣに変換されるとともに、スイッチングタグが付加され、５６バイトの交換用ＡＴＭセルとしてＡＴＭスイッチ１１に送出される。
【００５０】
ＭＢＵ１２では、分岐装置３からのＳＯＳセル（ＧＦＣ＝０）を上りバスで受けとった場合は、ＶＰ／ＶＣ値から分岐装置のＩＤすなわちＧＦＣを検索し、下りバスヘの空きセルのＧＦＣにその分岐装置３のＩＤをセットし、分岐装置を指定した「予約セル」として送出する。このＳＯＳセルは、端末装置からの受信バッファサイズ、最大遅延保証、バースト性の抑圧などの目的に使用される。ＳＯＳセルに対する処理の説明は、後述する分岐装置３のプロトコルに関する説明で詳細に行う。
【００５１】
ＭＢＵ１２では、バースト性のあるトラヒックに対処するため、下りバスに送出したＡＴＭセルの送信ＩＤをＦＩＦＯメモリに複数、例えば４２セル分記憶する。同時に上りバスから受信したＡＴＭセルの受信ＩＤを１セル分記憶し、受信ＩＤと前記ＦＩＦＯメモリに記憶された送信ＩＤを比較する機能を備える。この構成は、以下のハード論理を構成する。
【００５２】
等速トラヒックへの対応
受信ＩＤと送信ＩＤが一致すれば、送受信とも等速なトラヒックが流れていることになるので特に何もせず通信を継続させ、送信ＩＤ／受信ＩＤをクリヤするだけとする。
【００５３】
下りバースト性非対称トラヒックヘの対応
下りバスへの送信ＩＤは記録されているが上りバスの受信ＩＤが記録されない場合は、分岐装置に収容された端末装置へのダウンロード系のデータすなわち下りバーストであるので、そのまま通信を継続させ特に何もしない。
【００５４】
上りバースト性非対称トラヒックヘの対応
上りバスの受信ＩＤは記録されているが、下りバスヘの送信ＩＤが記録されない場合は、分岐装置に収容された端末装置からバースト性のトラヒックが発生したことになるので、分岐装置を指定した「予約空きセル」を下りバスに新規に割付ける。
【００５５】
以上により、端末装置の対称トラヒックまたは非対称トラヒックのどちらに対してもダイナミックな対応が可能となる。
【００５６】
以下、分岐装置プロトコルについて説明する。
分岐装置３には、上流ノードから受信するＡＴＭセルを再生して下流ノードに送出する中継機能と、下りバスおよび／または上りバスを流れるＡＴＭセルのＩＤすなわちＧＦＣを監視して自分宛てＡＴＭセルを取り込む機能と、自己に収容した端末装置との間でのデータを送受信するための送信バッファおよび受信バッファを設ける。
【００５７】
分岐装置３のハードウエアの動作態様を図７を用いて説明する。
上流ノード下りバスの受信バッファにＡＴＭセルを受信すると（Ｓ１）、受信セルが空きセルか否かを判定する（Ｓ２）。空きセルでないときには、ＧＦＣを参照して、マルチキャストセルであるか否かを判定し（Ｓ３）、マルチキャストセルでないときには、自己当てのＩＤセルであるか否かを判定する（Ｓ４）。
自己当てのＩＤセルであるときには、ＧＦＣを“０”クリヤして（Ｓ５）、ＵＮＩフォーマットに変換して端末装置宛て送信バッファに格納する（Ｓ６）とともに、受信したＡＴＭセルを空きセル（ＧＦＣ＝０、ＶＰ＝０、ＶＣ＝０に変更）に変換し（Ｓ７）、下流ノードへ送出する。
【００５８】
ステップＳ３の判定で、受信セルがマルチキャストセルであるとき（ＧＦＣ＝１５）には、受信セルをコピーして（Ｓ８）、ステップＳ５に移行するとともに、受信セルをそのまま中継し（Ｓ９）、下りバスに送出して（Ｓ１０）、下流ノードに中継する。
【００５９】
ステップＳ２の判定で、受信したＡＴＭセルが空きセルであるときには、分岐装置からの送信データの有無を判断した（Ｓ１１）結果、送信データが無い場合は、取り込んだＡＴＭセル分を空きセル（ＧＦＣ＝０、ＶＰ＝０、ＶＣ＝０に変更）に変換して下流ノードに送出する（Ｓ１０）。
【００６０】
一方、分岐装置３に収容された端末装置から端末受信バッファに送信データが送られてきたとき（Ｓ１２）には、受信バッファに格納された送信データの数が例えば“３”よりも大きいか否かを判定し（Ｓ１３）、大きい場合には、ＧＦＣを“０”に設定し（Ｓ１４）、このＧＦＣ（＝０）とＶＰＩ／ＶＣＩを空きセルに乗せてＳＯＳセルとして、ＭＢＵ１２に送出する。
【００６１】
分岐装置３には、端末装置からの１０セル分の送信データを受けることができる受信バッファを設けておき、該受信バッファに受けた送信データ（ＡＴＭセル）のカウント数がある値“３”に達した場合にのみ、ＳＯＳセルを１回送信して受信バッファカウント値を減算して“２”にする。このＳＯＳセルを送信することによって、前述したＭＢＵ１２で強制的に分岐装置を指定した「予約空きセル」が生成され、分岐装置の端末受信バッファの積帯が解消される。
なお、ＳＯＳセル方式を使用しない場合は、１８セル分以上のデータを格納するバッファを設けることが必要となる。
【００６２】
分岐装置３は、端末装置から送信データがあるか否かを監視し（Ｓ１５）、送信データがあるときには、まず、上り空きセルがあるか否かを判定する（Ｓ１６）。上り空きセルがない場合には、下り空きセルがあるか否かを監視し（Ｓ１７）、下り空きセルがあるときには、この空きセルに送信データとＧＦＣに自己のＩＤをセットして（Ｓ１８）、下りバスにＡＴＭセルを送出する（Ｓ１０）。
ステップＳ１６の監視で、上り空きセルがあるときには、この空きセルに送信データとＧＦＣに自己のＩＤをセットして（Ｓ２５）、上りバスにＡＴＭセルを送出する（Ｓ２６）。
【００６３】
下流ノードが生成した空きセルにも送信できるよう送信データは上りバスの空きセルにも送出できるよう構成する。
上りバス受信バッファにＡＴＭセルを受信すると（Ｓ１９）、空きセルか否かを判定し（Ｓ２０）、空きセルでないときには、ＧＦＣが“１５”か否か、すなわちマルチキャストセルか否かを判定し（Ｓ２１）、マルチキャストセルでないときには、受信したＡＴＭセルをそのまま中継し（Ｓ２２）、上りバスにこのＡＴＭセルを送出する（Ｓ２６）。
ステップＳ２１の判定の結果、上りバスすなわち下流ノードから受信したＡＴＭセルがマルチキャストセルであるときには、自己がＭＢＵ１２から最も遠い個所にある分岐装置であるので、直ちに空きセルを作成してマルチキャストセルを消滅させる（Ｓ２３）。
この処理に選れば、上りバスと下りバスの両方に空きがある場合は、上り空きセルを優先して使用する。
【００６４】
ボタン電話システム特有の制御として、複数の端末装置に同一の情報を通知する同報用通信形態（マルチキャスト）がある。Ｍバス上でのマルチキャストを可能とするためにマルチキャスト用の専用セルであるマルチキャストセルのＧＦＣに“１５”を割り当て、分岐装置およびＡＴＭボタン電話機を以下のように動作させる。
▲１▼  分岐装置は、下りバスで受信したＡＴＭセルのＧＦＣを監視し、ＧＦＣが“１５”のマルチキャストセルを無条件で取り込み、空きセル化せずそのまま下流に中継するように構成する。
▲２▼  分岐装置のＣＰＵ３６は、取り込んだマルチキャストセルのＧＦＣを“０”クリヤして、分岐装置の配下の端末装置全てにマルチキャストセルをコピーして送信する。
マルチキャストセルを送出する端末装置を選択するよう構成する場合は、分岐装置３に各端末装置の全シグナリング情報が必要になりハード構成が増加することになる。
▲３▼  ＡＴＭボタン電話機は、別途シグナリングで指定された端末装置のみが取り込み、他は廃棄するよう構成する。
▲４▼  マルチキャストセルを上りバスで受信した分岐装置は、このセルを上流ノードへ中継する必要がないので、そのセルを廃棄してマルチキャストセルの循環を防止する。
【００６５】
以下、マルチキャストに付いて、マルチキャストセルの流れを説明する図８を用いて説明する。
Ｍバス主装置１のマルチキャストユニット１０からマルチキャストセルが送出されると、ＡＴＭスイッチ１１は、対応するＭＢＵ１２にマルチキャストセルを送る。
ＭＢＵ１２は、マルチキャストユニット１０からのマルチキャストセルを受信すると、ＧＦＣに“１５”すなわち“Ｆ”を設定したマルチキャストセルを、Ｍバスの下りバス上へ送り出す。
各分岐装置３は、受信したＡＴＭセルのＧＦＣを参照して、マルチキャストセルであるときには、該セルを分岐して配下の端末装置へ転送するとともに、受信したマルチキャストセルを下流の分岐装置へ中継する。以下、マルチキャストセルは、順次下流の分岐装置へ分岐されながら、さらに下流の分岐装置へ転送される。
上りバスにマルチキャストセルを受信した分岐装置３−１４は、受信したマルチキャストセルを廃棄し、ＧＦＣ／ＶＰ／ＶＣを“０／０／０”に書き換えて空きセルとして上流へ中継する。
【００６６】
次ぎに、Ｍバスの保守運用（Ｏｐｅｒａｔｉｏｎ，Ａｄｍｉｎｉｓｔｒａｔｉｏｎ  ａｎｄ  Ｍａｉｎｔｅｎａｎｃｅ：以下、ＯＡＭという）機能に付いて説明する。
ＯＡＭ機能は、ネットワーク管理機能における故障および性能管理手段として以下の５つに分類できると定義されている。
▲１▼  性能モニタ機能：時間的に連続または周期的な測定手段により性能をモニタする機能
▲２▼  欠陥および故障検出機能：時間的に連続または周期的な測定手段により性能の劣化を検出する機能
▲３▼  システムプロテクション機能：故障した伝達部位を、閉塞しまたは切離しもしくは予備切換え等により回復を行う機能
▲４▼  故障情報またはレポート情報転送機能：性能や故障情報を表示パラメータもしくは信号として他の管理部位に通知する機能
▲５▼  故障点の特定機能：故障部位を特定するために特別の試験方法等で特定する機能
【００６７】
Ｍバスは、最遠端の分岐装置で折り返された往復するバスに複数の分岐装置をシリーズ接続する形態であることから、途中でバスが分断された場合、Ｍバス全体に障害が波及するおそれがある。可能な限りＭバスを有効とするために、本発明では、上記欠陥および故障検出機能、およびシステムプロテクション機能を達成するよう、以下のＯＡＭ処理フローを導入する。
【００６８】
このＯＡＭ処理フローは、以下の前提条件の下に実行される。
ＭＢＵからの分岐装置の接続順序は、ＩＤの若番（近端）から老番（遠端）に並んでいる。
障害が発生した場合、障害を認識した分岐装置において内部ループバック（Ｕ接続）回路が作られる。
ＣＣＵは、Ｍバス上の分岐装置の接続階梯を管理するテーブル（ＭＢＵから分岐装置の接続順序が記述されたテーブル）を持ち、該当分岐装置からのループバック通知により切り離なされた下流の分岐装置に収容の“呼”の管理（切断および通知等）が行われる。
ＭバスのＯＡＭフローは、Ｍバス上でのみ適用され（ＭＢＵで終端）、端末装置から送出されるＦ５−ＯＡＭセルのみ透過的に相手端末装置に届ける。
【００６９】
ＯＡＭセルの構造を図９に示す。
ＯＡＭセルは、ＧＦＣフィールド、ＶＰＩフィールド、ＶＣＩフィールド、ＰＴフィールド、ＣＬＰフィールド、ＨＥＣフィールド、ＯＡＭ種別フィールド、ＯＡＭ機能種別フィールド、機能特有フィールド、将来使用予備フィールド、誤り検出符号フィールドが設けられる。
ＧＦＣフィールドには、分岐装置のＩＤ番号が記述される。ルーティングフィールドである、ＶＰＩフィールドは任意に設定され、ＶＣＩフィールドには、“０００３Ｈ”または“０００４Ｈ”が設定される。ＰＴフィールドには、“０００”が設定され、ＣＬＰフィールドには“０”が、ＯＡＭ種別フィールドには故障管理を表す“０００１”が設定される。
ＯＡＭ機能種別フィールドには、警報表示信号（ＡＩＳ）の場合には“００００”が、遠端受信故障（ＦＥＲＦ）の場合には“０００１”が、ループバック通知（ＬＢＡ）の場合には“１０００”が設定される。
【００７０】
ＯＡＭ機能種別フィールドに記述される保守信号に付いて説明する。Ｍバス上の保守信号として以下のセグメントＯＡＭセルを使用する。
ＦＥＲＦ（Ｆａｒ  Ｅｎｄ  Ｒｅｃｅｉｖｅ  Ｆａｉｌｕｒｅ）信号は、主信号の受信側で故障またはＡＩＳを検出したことを、送信側の終端点に通知するための信号である。
ＡＩＳ（Ａｌａｒｍ  Ｉｎｄｉｃａｔｉｏｎ  Ｓｉｇｎａｌ）は、伝送路での故障発生時に、故障が発生したことを下流に通知するための信号である。
ＬＢＡ（Ｌｏｏｐ  Ｂａｃｋ  Ａｃｔｉｖｅ）は、ループバックを行った分岐装置からＭＢＵ（ＣＣＵ）に知らせるための信号である。
【００７１】
以下、ＭＢＵ１２と、分岐装置３−（ｎ−１）、分岐装置３−（ｎ）、分岐装置３−（ｎ＋１）からなるＭバス方式において発生する各障害に対するＯＡＭ処理を、図１０を用いて説明する。
ａ点で障害が発生した場合
▲１▼  分岐装置３−（ｎ）の下りバス受信端でＬＯＳ（入力信号断）またはＬＯＦ（フレーム同期はずれ）が検出されると、分岐装置３−（ｎ）は、上位ノード送信端（分岐装置３−（ｎ−１））にＦ３−ＦＥＲＦを送信し、下流にはＦ３−ＡＩＳを送出し、同時に分岐装置３−（ｎ）で管理中のＶＰ／ＶＣをクリヤする。
【００７２】
２．  Ｆ３−ＦＥＲＦを受信した分岐装置３−（ｎ−１）は、下流を切離すためループバックを行い、ＭＢＵ１２へはセグメントＯＡＭセルＦ４−ＬＢＡ（機能タイプ“１０００”）でループバックしたことを通知（ループバックポイント“ｎ−１”）する。Ｆ４−ＬＢＡは、１回／秒の間隔で送信する。なお、下流の分岐装置宛て（ＧＦＣが自己ＩＤより大きい）セルは、ループバックした受信端で全て廃棄する構成とする。
ＭＢＵ１２は、制御セルで分岐装置３−（ｎ−１）より下流の端末装置の使用不可情報（レイヤ１非活性）をＣＣＵ１９に上げる。またＭＢＵ１２で管理している使用不可能となった分岐装置のＶＰ／ＶＣテーブルをクリヤする。
【００７３】
▲３▼  ＣＣＵ１９は、分岐装置３−（ｎ−１）より下流の分岐装置で使用中の全てのＶＰ／ＶＣをクリヤし、ＶＰ／ＶＣ対応の通信相手端末装置にエンド・エンドＯＡＭセルＦ４−ＦＥＲＦ（機能タイプ“０００１”）で通知する。
【００７４】
▲４▼  Ｆ３−ＡＩＳを受信した下流の分岐装置は、さらにその下流の分岐装置にはＦ３−ＡＩＳで順次知らせ同様の動作を行わせる。Ｆ３−ＡＩＳが上りバスで受信されたとき、分岐装置３−（ｎ＋１）は自己が最遠端と判断し、Ｆ３−ＡＩＳの中継を中止する（セルを廃棄する）。
【００７５】
▲５▼  ループバック解除は、分岐装置３−（ｎ）のＬＯＳ／ＬＯＦ回復により分岐装置３−（ｎ−１）でＦ３−ＦＥＲＦ受信が解除されたことによってル−プッバックを解除し、ＭＢＵ１２へのセグメントＯＡＭセルＦ４−ＬＢＡの送信（１回／秒）を停止する。ＭＢＵ１２は、Ｆ４−ＬＢＡが２．５±０．５秒間未受信となったとき、ＣＣＵに制御セルでＭバス障害回復を通知をする。
【００７６】
ｂ点で障害が発生した場合
▲１▼  分岐装置３−（ｎ）の上りバス受信端でＬＯＳ（入力信号断）またはＬＯＦ（フレーム同期はずれ）が検出されると、分岐装置３−（ｎ＋１）にＦ３−ＡＩＳが送出されてａ点故障における▲４▼と同様の動作が行われる。
▲２▼  分岐装置３−（ｎ）は、下流を切離すためループバックを行い、ＭＢＵ１２へはセグメントＯＡＭセルＦ４−ＬＢＡ（機能タイプ“１０００”）でループバックしたことを通知する。Ｆ４−ＬＢＡは１回／秒の間隔で送信する。
▲３▼  以後ａ点における故障の▲３▼〜▲５▼と同様の動作となる。
【００７７】
ａ点およびｃ点で同時に障害が発生した場合
分岐装置３−（ｎ）はａ点での障害発生時と同様の動作を行い、分岐装置３−（ｎ−１）はｂ点での障害発生時と同様の動作となる。
【００７８】
分岐装置３−（ｎ−１）が最上位であるときにｄ点で障害が発生した場合
▲１▼  分岐装置３−（ｎ−１）の下りバス受信端でＬＯＳ／ＬＯＦが検出され、上位送信端であるＭＢＵ１２にＦ３−ＦＥＲＦを送止し、下流（分岐装置３−（ｎ））にはＦ３−ＡＩＳを送出する。同時に分岐装置３−（ｎ−１）で管理中のＶＰ／ＶＣをクリヤする。
▲２▼  Ｆ３−ＦＥＲＦを受信したＭＢＵ１２は、ループバックは行わないがＣＣＵ１９へは制御セルでループバックしたと等価の情報を通知する。（ループバックポイント“０”）
▲３▼  以降、ａ点での障害発生時の▲３▼〜▲５▼と同様の動作を行う。
【００７９】
ｅ点で障害が発生した場合
▲１▼  ＭＢＵ１２の上りバス受信端でＬＯＳ／ＬＯＦが検出され、分岐装置３−（ｎ−１）にはＦ３−ＡＩＳで知らせ、ＣＣＵへは制御セルでループバックしたと等価の情報を通知する。（ループバックポイント“０”）
▲２▼  以降ａ点での障害発生時の▲３▼〜▲５▼と同様の動作を行う。
【００８０】
ｄ点およびｅ点で同時に障害が発生した場合
分岐装置３−（ｎ−１）はｄ点で障害が発生した場合と同様の動作を行い、ＭＢＵ１２はｅ点で障害が発生した場合と同様の動作となる。
【００８１】
ｆ点で障害が発生した場合
▲１▼  分岐装置３−（ｎ）の端末側受信端でエラーが検出された場合、端末装置はセグメントＯＡＭセルＦ４−ＦＥＲＦ（機能タイプ“０００１”）でＭＢＵ１２に知らせる。Ｆ４−ＦＥＲＦは、１回／１秒の間隔で送信する。
ＭＢＵ１２は、制御セルでＣＣＵ１９へ分岐装置３−（ｎ）の端末装置の使用不可能を上げる。
▲２▼  ＣＣＵ１９は、分岐装置３−（ｎ）で使用中の全てのＶＰ／ＶＣをクリヤし、ＶＰ／ＶＣ対応の通信相手端末装置にエンド・エンドＯＡＭセルＦ５−ＦＥＲＦ（機能タイプ“０００１”）で通知する。
▲３▼  エラー状態が回復すると、分岐装置３−（ｎ）のＦ４−ＦＥＲＦの定期的送信が停止され、ＣＣＵ１９は、Ｆ４−ＬＢＡが２．５±０．５秒間未受信となったとき自動的に解除する。
【００８２】
ｇ点で障害が発生した場合
ｇ点で障害が発生すると、端末装置からＦ４−ＦＥＲＦが１回／１秒の間隔で送信され、ＭＢＵ１２経由でＣＣＵ１９に通知されてｆ点での障害発生時の▲２▼、▲３▼と同様の動作となる。
【００８３】
以下、ＡＴＭセルのＭバス内での循環防止に付いて説明する。
▲１▼  マルチキャストセルの処理
上りバスでＧＦＣが固定値（ＧＦＣ＝１５）の専用のチャネル（ＶＰ／ＶＣ）を利用する専用セルであるマルチキャストセルを検出した分岐装置が、このマルチキャストセルを廃棄してマルチキャストセルの循環を防止する。
▲２▼  ループバック中の分岐装置の動作
ループバック中の分岐装置は、自己ＩＤより大きいＩＤ（ＧＦＣ）のセルを上りバスで受信した場合は全て廃棄して、ループバック点から下流への不要なセルの循環を防止する。
【００８４】
【発明の効果】
本発明によれば、下りバスの終端が折り返されて上りバスとされたＡＴＭ−Ｍバス方式に接続された分岐装置へのマルチキャスト通信をＭバスの伝送帯域を大幅に占有せずに実行することができる。
【図面の簡単な説明】
【図１】本発明にかかるＡＴＭ−Ｍバス方式の構成概念を示す概念図。
【図２】本発明にかかるＡＴＭ−Ｍバス方式に用いる分岐装置１５５Ｍの構成を示すブロック図。
【図３】本発明にかかるＡＴＭ−Ｍバス方式に用いる分岐装置２５Ｍの構成を示すブロック図。
【図４】本発明にかかるＡＴＭ−Ｍバス方式に用いるＭＢＵの構成を示すブロック図。
【図５】本発明にかかるＡＴＭ−Ｍバス方式に用いるＭＢＵのＡＴＣにおけるＧＦＣ／ＶＰ／ＶＣの変換処理を説明する説明図。
【図６】本発明にかかるＡＴＭ−Ｍバス方式に用いるＭＢＵの機能構成を示す機能ブロック図。
【図７】本発明にかかるＡＴＭ−Ｍバス方式に用いる分岐装置の動作を説明するフロー図。
【図８】本発明にかかるＡＴＭ−Ｍバス方式におけるマルチキャスト通信の概念を説明する図。
【図９】本発明にかかるＡＴＭ−Ｍバス方式に用いるＯＡＭセルの構造を示す図。
【図１０】本発明にかかるＡＴＭ−Ｍバス方式における障害発生個所を示す図。
【図１１】従来のＡＴＭバス方式の構成概念を示す概念図。
【図１２】先願にかかるＡＴＭ−Ｕバス方式の構成概念を示す概念図。
【図１】
0003581022.tif 000004
【図２】
0003581022.tif 000005
【図３】
0003581022.tif 000006
【図４】
0003581022.tif 000007
【図５】
0003581022.tif 000008
【図６】
0003581022.tif 000009
【図７】
0003581022.tif 000010
【図８】
0003581022.tif 000011
【図９】
0003581022.tif 000012
【図１０】
0003581022.tif 000013
【図１１】
0003581022.tif 000014
【図１２】
0003581022.tif 000015